(57)【要約】【課題】Webページの表示スタイルをユーザ個々人の利用形態に応じて適切に変化表示。【解決手段】Ｗｅｂページ上で所定時間以上拡大表示されたり選択表示されたりしたブロック情報やテキスト情報をその「注目回数」を対応づけて注目ブロックテーブルや注目テキストテーブルに記録すると共に、リンク先設定テキストが指定された場合は、設定リンク先および表示テキスト情報を「利用回数」を対応づけてリンク利用履歴テーブルに記録し、入力フォームの送信が行われた場合は、送信入力フォーム情報やフォーム内部品情報を「利用回数」を対応づけてフォーム情報テーブルやフォーム部品情報テーブルに記録する。表示されるＷｅｂページは、前記各テーブルに記録された情報に基づき、利用回数の高いリンク先設定テキストや入力フォーム、注目回数の高いブロック部分及びテキストについて表示スタイルが重み付け処理され拡大・強調されて表示される。【選択図】図８
2009009519.tif 000002
【特許請求の範囲】
【請求項１】
表示部と、
Ｗｅｂページを取得するページ取得手段と、
このページ取得手段により取得されたＷｅｂページを前記表示部に表示させるページ表示制御手段と、
このページ表示制御手段により前記表示部に表示されたＷｅｂページに対してユーザ所望の操作を実行するユーザ操作実行手段と、
このユーザ操作実行手段により実行された前記Ｗｅｂページに対するユーザ操作の履歴を記憶する操作履歴記憶手段と、
前記ページ表示制御手段により前記Ｗｅｂページを前記表示部に表示させる際に、前記操作履歴記憶手段により記憶された当該Ｗｅｂページに対するユーザ操作の履歴に基づき、当該Ｗｅｂページ上でユーザ操作の頻度が高い部分を強調して表示させる強調表示制御手段と、
を備えたことを特徴とする情報表示装置。
【請求項２】
前記ユーザ操作実行手段は、前記表示部に表示されたＷｅｂページに対してユーザ所望の部分の拡大を実行するか、リンクの設定された文字列の指定を実行するか、入力フォームに対する入力を実行し、
前記強調表示制御手段は、前記ユーザ操作手段により拡大実行された回数が多いページの部分、指定実行された回数が多い文字列の部分、入力実行された回数が多い入力フォームの部分を強調して表示させる、
ことを特徴とする請求項１に記載の情報表示装置。
【請求項３】
Ｗｅｂページを加工するサーバ装置とユーザ端末装置とを有してなる情報表示システムであって、
前記サーバ装置は、
前記ユーザ端末装置から要求されたＷｅｂページを取得して当該ページ要求元のユーザ端末装置へ送信するページ取得送信制御手段と、
前記ユーザ端末装置から送信された前記Ｗｅｂページに対するユーザ操作の履歴を受信して記憶する操作履歴受信記憶手段と、
前記ページ取得送信制御手段により前記Ｗｅｂページを当該ページ要求元のユーザ端末装置へ送信する際に、前記操作履歴受信記憶手段により記憶された当該Ｗｅｂページに対するユーザ操作の履歴に基づき、当該Ｗｅｂページ上でユーザ操作の頻度が高い部分が強調して表示されるように処理する強調表示処理手段とを備え、
前記ユーザ端末装置は、
表示部と、
前記サーバ装置に対してユーザ所望のＷｅｂページを要求して受信するページ要求受信制御手段と、
このページ要求受信制御手段により受信されたＷｅｂページを前記表示部に表示させるページ表示制御手段と、
このページ表示制御手段により前記表示部に表示されたＷｅｂページに対してユーザ所望の操作を実行するユーザ操作実行手段と、
このユーザ操作実行手段により実行された前記Ｗｅｂページに対するユーザ操作の履歴を前記サーバ装置に対して送信する操作履歴送信手段とを備えた、
ことを特徴とする情報表示システム。
【請求項４】
前記サーバ装置において、
前記操作履歴受信記憶手段は、複数のユーザ端末装置からそれぞれ送信された前記Ｗｅｂページに対するユーザ操作の履歴を受信して各ユーザに対応付けて記憶し、
前記操作履歴受信記憶手段により記憶される各ユーザに対応付けられたユーザ操作の履歴同士で類似性を判断する類似性判断手段と、
この類似性判断手段により前記ユーザ操作の履歴同士に類似性があると判断されたユーザ同士を対応付けて管理するユーザ類似管理手段とをさらに備え、
前記強調表示処理手段は、前記ページ取得送信制御手段により前記Ｗｅｂページを当該ページ要求元のユーザ端末装置へ送信する際に、前記ユーザ類似管理手段により前記ページ要求元のユーザに対応付けられた類似性のあるユーザが管理されている場合には、当該ページ要求元のユーザおよび当該類似性のあるユーザそれぞれに対応して前記操作履歴受信記憶手段により記憶された当該Ｗｅｂページに対する各ユーザ操作の履歴に基づき、当該Ｗｅｂページ上でユーザ操作の頻度が高い部分が強調して表示されるように処理する、
ことを特徴とする請求項３に記載の情報表示システム。
【請求項５】
前記操作履歴記憶手段により記憶されたＷｅｂページに対するユーザ操作の履歴に基づき、当該Ｗｅｂページ上で操作の頻度が高い部分を合成して前記表示部に表示させる合成ページ表示制御手段をさらに備えた、
ことを特徴とする請求項１または請求項２に記載の情報表示装置。
【請求項６】
前記サーバ装置において、
前記操作履歴受信記憶手段により記憶されたＷｅｂページに対するユーザ操作の履歴に基づき、当該Ｗｅｂページ上でユーザ操作の頻度が高い部分を合成したページを生成して前記ユーザ端末装置へ送信するページ生成送信手段をさらに備えた、
ことを特徴とする請求項３または請求項４に記載の情報表示システム。
【請求項７】
表示部を備えた電子機器のコンピュータを制御するための情報表示制御プログラムであって、
前記コンピュータを、
Ｗｅｂページを取得するページ取得手段、
このページ取得手段により取得されたＷｅｂページを前記表示部に表示させるページ表示制御手段、
このページ表示制御手段により前記表示部に表示されたＷｅｂページに対してユーザ所望の操作を実行するユーザ操作実行手段、
このユーザ操作実行手段により実行された前記Ｗｅｂページに対するユーザ操作の履歴をメモリに記憶する操作履歴記憶手段、
前記ページ表示制御手段により前記Ｗｅｂページを前記表示部に表示させる際に、前記操作履歴記憶手段により記憶された当該Ｗｅｂページに対するユーザ操作の履歴に基づき、当該Ｗｅｂページ上でユーザ操作の頻度が高い部分を強調して表示させる強調表示制御手段、
として機能させるようにしたコンピュータ読み込み可能な情報表示制御プログラム。
【請求項８】
Ｗｅｂページを加工してユーザ端末に送信するサーバ装置のコンピュータを制御するためのサーバ制御プログラムであって、
前記コンピュータを、
前記ユーザ端末装置から要求されたＷｅｂページを取得して当該ページ要求元のユーザ端末装置へ送信するページ取得送信制御手段、
前記ユーザ端末装置から送信された前記Ｗｅｂページに対するユーザ操作の履歴を受信してメモリに記憶する操作履歴受信記憶手段、
前記ページ取得送信制御手段により前記Ｗｅｂページを当該ページ要求元のユーザ端末装置へ送信する際に、前記操作履歴受信記憶手段により記憶された当該Ｗｅｂページに対するユーザ操作の履歴に基づき、当該Ｗｅｂページ上でユーザ操作の頻度が高い部分が強調して表示されるように処理する強調表示処理手段、
として機能させるようにしたコンピュータ読み込み可能なサーバ制御プログラム。
【発明の詳細な説明】
【技術分野】
【０００１】
本発明は、Ｗｅｂサーバが提供するＷｅｂページを効果的に表示させるための情報表示装置、情報表示制御プログラム、情報表示システム、情報表示システムのサーバ制御プログラムに関する。
【背景技術】
【０００２】
従来、携帯電話やＰＤＡ(personal digital assistant)などの表示画面が小さい情報端末において、Ｗｅｂページを表示させる手段としては、例えば次のようなものがある。
【０００３】
１．携帯電話専用サイトなど、小画面の情報端末向けにＷｅｂページが編集されたＷｅｂサイトを利用する。
【０００４】
２．通常ＰＣ(personal computer)向けのＷｅｂページをjigブラウザなどにより小画面情報端末用に変換し簡素化して表示させる。
【０００５】
３．通常ＰＣ向けのＷｅｂページをフルブラウザなどによりそのまま表示させる。
【０００６】
前記１．２．のように小画面情報端末用に編集あるいは変換されたＷｅｂページを表示させた場合には、通常ＰＣ向けの豊富な既存コンテンツやリッチな機能を使うことができず、目的とする情報が得られないことがある。
【０００７】
前記３．のように通常ＰＣ向けのＷｅｂページを小画面でそのまま表示させた場合には、ページのごく一部しか表示されず全体像がつかめないのは勿論、目的とする情報の場所まで移動させるのに非常に手間が掛かる。また、Ｗｅｂページを縮小表示させてその全体像を掴みやすくした場合でも、大幅に縮小されるために文字が読めなくなったり、内容が分からなくなったりするので、目的とする情報の場所に辿り着くまでに「部分拡大して付近を探す→違ったらまた縮小して他の場所に移動する」という面倒な作業を繰り返さなければならない。
【０００８】
そこで、通常ＰＣ向けに作成されたＷｅｂページを小画面情報端末にて適切に表示できるようにするために、Ｗｅｂページの最適なレイアウト処理を行うブラウザプログラムが考えられている（例えば、特許文献１参照。）。
【特許文献１】特開２００７−００４５２４号公報
【発明の開示】
【発明が解決しようとする課題】
【０００９】
前記従来のブラウザプログラムでは、Ｗｅｂページの最適なレイアウト処理を行うものであるものの、ユーザ個々人によって異なる閲覧の仕方は全く反映されないため、必ずしもユーザが利用しやすい形態として表示されるものではない問題がある。
【００１０】
本発明は、このような課題に鑑みなされたもので、Ｗｅｂページの表示スタイルをユーザ個々人の利用形態に応じて適切に変化させ表示させることが可能になる情報表示装置、情報表示制御プログラム、情報表示システム、情報表示システムのサーバ制御プログラムを提供することを目的とする。
【課題を解決するための手段】
【００１１】
請求項１に記載の情報表示装置は、表示部と、Ｗｅｂページを取得するページ取得手段と、このページ取得手段により取得されたＷｅｂページを前記表示部に表示させるページ表示制御手段と、このページ表示制御手段により前記表示部に表示されたＷｅｂページに対してユーザ所望の操作を実行するユーザ操作実行手段と、このユーザ操作実行手段により実行された前記Ｗｅｂページに対するユーザ操作の履歴を記憶する操作履歴記憶手段と、前記ページ表示制御手段により前記Ｗｅｂページを前記表示部に表示させる際に、前記操作履歴記憶手段により記憶された当該Ｗｅｂページに対するユーザ操作の履歴に基づき、当該Ｗｅｂページ上でユーザ操作の頻度が高い部分を強調して表示させる強調表示制御手段とを備えたことを特徴としている。
【００１２】
請求項２に記載の情報表示装置は、前記請求項１に記載の情報表示装置において、前記ユーザ操作実行手段は、前記表示部に表示されたＷｅｂページに対してユーザ所望の部分の拡大を実行するか、リンクの設定された文字列の指定を実行するか、入力フォームに対する入力を実行し、前記強調表示制御手段は、前記ユーザ操作手段により拡大実行された回数が多いページの部分、指定実行された回数が多い文字列の部分、入力実行された回数が多い入力フォームの部分を強調して表示させることを特徴としている。
【００１３】
請求項３に記載の情報表示システムは、Ｗｅｂページを加工するサーバ装置とユーザ端末装置とを有してなる情報表示システムであって、前記サーバ装置は、前記ユーザ端末装置から要求されたＷｅｂページを取得して当該ページ要求元のユーザ端末装置へ送信するページ取得送信制御手段と、前記ユーザ端末装置から送信された前記Ｗｅｂページに対するユーザ操作の履歴を受信して記憶する操作履歴受信記憶手段と、前記ページ取得送信制御手段により前記Ｗｅｂページを当該ページ要求元のユーザ端末装置へ送信する際に、前記操作履歴受信記憶手段により記憶された当該Ｗｅｂページに対するユーザ操作の履歴に基づき、当該Ｗｅｂページ上でユーザ操作の頻度が高い部分が強調して表示されるように処理する強調表示処理手段とを備え、前記ユーザ端末装置は、表示部と、前記サーバ装置に対してユーザ所望のＷｅｂページを要求して受信するページ要求受信制御手段と、このページ要求受信制御手段により受信されたＷｅｂページを前記表示部に表示させるページ表示制御手段と、このページ表示制御手段により前記表示部に表示されたＷｅｂページに対してユーザ所望の操作を実行するユーザ操作実行手段と、このユーザ操作実行手段により実行された前記Ｗｅｂページに対するユーザ操作の履歴を前記サーバ装置に対して送信する操作履歴送信手段とを備えたことを特徴としている。
【００１４】
請求項４に記載の情報表示システムは、前記請求項３に記載の情報表示システムにあって、前記サーバ装置において、前記操作履歴受信記憶手段は、複数のユーザ端末装置からそれぞれ送信された前記Ｗｅｂページに対するユーザ操作の履歴を受信して各ユーザに対応付けて記憶し、前記操作履歴受信記憶手段により記憶される各ユーザに対応付けられたユーザ操作の履歴同士で類似性を判断する類似性判断手段と、この類似性判断手段により前記ユーザ操作の履歴同士に類似性があると判断されたユーザ同士を対応付けて管理するユーザ類似管理手段とをさらに備え、前記強調表示処理手段は、前記ページ取得送信制御手段により前記Ｗｅｂページを当該ページ要求元のユーザ端末装置へ送信する際に、前記ユーザ類似管理手段により前記ページ要求元のユーザに対応付けられた類似性のあるユーザが管理されている場合には、当該ページ要求元のユーザおよび当該類似性のあるユーザそれぞれに対応して前記操作履歴受信記憶手段により記憶された当該Ｗｅｂページに対する各ユーザ操作の履歴に基づき、当該Ｗｅｂページ上でユーザ操作の頻度が高い部分が強調して表示されるように処理することを特徴としている。
【００１５】
請求項５に記載の情報表示装置は、前記請求項１または請求項２に記載の情報表示装置において、前記操作履歴記憶手段により記憶されたＷｅｂページに対するユーザ操作の履歴に基づき、当該Ｗｅｂページ上で操作の頻度が高い部分を合成して前記表示部に表示させる合成ページ表示制御手段をさらに備えたことを特徴としている。
【００１６】
請求項６に記載の情報表示システムは、前記請求項３または請求項４に記載の情報表示システムであって、前記サーバ装置において、前記操作履歴受信記憶手段により記憶されたＷｅｂページに対するユーザ操作の履歴に基づき、当該Ｗｅｂページ上でユーザ操作の頻度が高い部分を合成したページを生成して前記ユーザ端末装置へ送信するページ生成送信手段をさらに備えたことを特徴としている。
【００１７】
請求項７に記載の情報表示制御プログラムは、表示部を備えた電子機器のコンピュータを制御するための情報表示制御プログラムであって、前記コンピュータを、Ｗｅｂページを取得するページ取得手段、このページ取得手段により取得されたＷｅｂページを前記表示部に表示させるページ表示制御手段、このページ表示制御手段により前記表示部に表示されたＷｅｂページに対してユーザ所望の操作を実行するユーザ操作実行手段、このユーザ操作実行手段により実行された前記Ｗｅｂページに対するユーザ操作の履歴をメモリに記憶する操作履歴記憶手段、前記ページ表示制御手段により前記Ｗｅｂページを前記表示部に表示させる際に、前記操作履歴記憶手段により記憶された当該Ｗｅｂページに対するユーザ操作の履歴に基づき、当該Ｗｅｂページ上でユーザ操作の頻度が高い部分を強調して表示させる強調表示制御手段として機能させることを特徴としている。
【００１８】
請求項８に記載のサーバ制御プログラムは、Ｗｅｂページを加工してユーザ端末に送信するサーバ装置のコンピュータを制御するためのサーバ制御プログラムであって、前記コンピュータを、前記ユーザ端末装置から要求されたＷｅｂページを取得して当該ページ要求元のユーザ端末装置へ送信するページ取得送信制御手段、前記ユーザ端末装置から送信された前記Ｗｅｂページに対するユーザ操作の履歴を受信してメモリに記憶する操作履歴受信記憶手段、前記ページ取得送信制御手段により前記Ｗｅｂページを当該ページ要求元のユーザ端末装置へ送信する際に、前記操作履歴受信記憶手段により記憶された当該Ｗｅｂページに対するユーザ操作の履歴に基づき、当該Ｗｅｂページ上でユーザ操作の頻度が高い部分が強調して表示されるように処理する強調表示処理手段として機能させることを特徴としている。
【発明の効果】
【００１９】
本発明によれば、Ｗｅｂページの表示スタイルをユーザ個々人の利用形態に応じて適切に変化させ表示させることが可能になる情報表示装置、情報表示制御プログラム、情報表示システム、情報表示システムのサーバ制御プログラムを提供できる。
【発明を実施するための最良の形態】
【００２０】
以下図面により本発明の実施の形態について説明する。
【００２１】
（第１実施形態）
図１は、本発明の情報表示装置の実施形態に係る携帯端末機器１０の電子回路の構成を示すブロック図である。
【００２２】
この携帯端末機器１０は、以下に説明するＷｅｂページ閲覧機能を備えたＰＤＡ(personal digital assistant)や携帯電話として構成されるか、Ｗｅｂページ閲覧専用の携帯機器として構成される。この携帯機器１０は、各種の記録媒体に記録されたプログラム、または、伝送されたプログラムを読み込んで、その読み込んだプログラムによって動作が制御されるコンピュータによって構成され、その電子回路には、制御部（ＣＰＵ:central processing unit）１１が備えられる。
【００２３】
制御部（ＣＰＵ）１１は、フラッシュＲＯＭなどの記憶装置１２内に予め記憶された携帯端末制御プログラム、あるいはメモリカード（ＲＯＭカード）などの外部記録媒体１３から前記記憶装置１２に読み込まれた携帯端末制御プログラム、あるいはインターネット（通信ネットワーク）Ｎ上のＷｅｂサーバ（この場合はプログラムサーバ）２０から通信部１４を介して前記記憶装置１２に読み込まれた携帯端末制御プログラムに応じて、ＲＡＭ１５を作業用メモリとし、回路各部の動作を制御するもので、前記記憶装置１２に記憶された携帯端末制御プログラムは、キー入力部１６からのユーザ操作に応じた入力信号、あるいは通信部１４を介して接続されるインターネットＮ上の各Ｗｅｂサイトであるコンテンツサーバ２０ａ，２０ｂ，…との通信信号に応じて起動される。
【００２４】
前記制御部（ＣＰＵ）１１には、前記記憶装置１２、通信部１４、ＲＡＭ１５、キー入力部１６が接続される他に、ＬＣＤからなる表示部１７などが接続される。
【００２５】
記憶装置１２には、当該携帯端末機器１０の全体の動作を司るシステムプログラム１２ａ、通信部１４を介してインターネット（通信ネットワーク）Ｎ上の各コンテンツサーバ２０ａ，２０ｂ，…とデータ通信するための通信用プログラム１２ｂが記憶される他に、インターネットＮ上のコンテンツサーバ２０ａ，２０ｂ，…から取得されたＷｅｂページを当該携帯端末機器１０のユーザにとって利用しやすい形態に変化して表示させる（例えば図８参照）ためのブラウザプログラム１２ｃ、そして当該携帯端末機器１０によりＷｅｂページが表示され利用された際の種々の利用履歴が記録されるコンテンツ利用履歴ＤＢ（データベース）１２ｄなどが記憶される。
【００２６】
キー入力部１６には、電源のＯＮ／ＯＦＦを行う際に操作される「電源」キー、前記ブラウザプログラム１２ｃを起動させる際に操作されるブラウザ起動キー、表示画面１７上でのカーソルの移動や項目の選択、ポイントの指定などを行う際に操作されるカーソルキー、数字や文字を入力する際に操作される文字入力キーなどが備えられる。
【００２７】
一方、ＲＡＭ１５には、アクセス先ＵＲＬメモリ１５ａ、ＷｅｂページＨＴＭＬメモリ１５ｂ、表示画像メモリ１５ｃ、ポインタページ位置メモリ１５ｄなどの各種作業用のメモリエリアが用意される。
【００２８】
アクセス先ＵＲＬメモリ１５ａには、インターネット（通信ネットワーク）Ｎ上のアクセス先であるコンテンツサーバ２０ａ，２０ｂ，…のＵＲＬが記憶される。
【００２９】
ＷｅｂページＨＴＭＬメモリ１５ｂには、前記アクセス先のＵＲＬに従いコンテンツサーバ２０ａ，２０ｂ，…から取得されるＨＴＭＬファイル（図２（Ｂ）参照）が記憶される。
【００３０】
表示画像メモリ１５ｃには、表示部１７に表示させるべき画像として、例えば前記ＨＴＭＬファイル（図２（Ｂ）参照）をブラウザプログラム１２ｃによって変換したＷｅｂページ（図８参照）の画像データが記憶される。
【００３１】
ポインタページ位置メモリ１５ｄには、表示中のＷｅｂページ上にてユーザ操作に応じて移動表示されるカーソルポインタの当該ページ上での座標位置が記憶される。
【００３２】
図２は、前記携帯端末機器１０の記憶装置１２におけるコンテンツ利用履歴ＤＢ１２ｄにて記憶されるテーブルデータ（その１）を示す図であり、同図（Ａ）はブロック情報テーブル１２d1を示す図、同図（Ｂ）はキャッシュテーブル１２d2を示す図、同図（Ｃ）はリンク利用履歴テーブル１２d3を示す図である。
【００３３】
ブロック情報テーブル１２d1には、コンテンツサーバ２０ａ，２０ｂ，…から受信されたＨＴＭＬファイルをブラウザプログラム１２ｃによってＷｅｂページに変換して表示させる際に、当該ＨＴＭＬファイルに親子関係を持ったツリー状の配列として含まれるブロック要素毎にその「ブロックＩＤ」および「ＵＲＬ」を付加し、そのブロックの親になるブロックのＩＤを示す「親ブロックＩＤ」、その親の何番目の子のブロックかを示す「親に付く順番」、ブロックの属性を示す「タグ」［（ページ全体）／＜ＤＩＶ＞(単純な矩形要素)／＜ＴＡＢＬＥ＞(テーブル全体)／＜ＴＲ＞(テーブルの１行)］が対応付けられて記憶される。
【００３４】
キャッシュテーブル１２d2には、今回受信されて表示されたＷｅｂページのＨＴＭＬファイルが、当該携帯端末機器１０にてこれまで表示されたＷｅｂページの履歴としてその容量分蓄積されて記憶される。
【００３５】
リンク利用履歴テーブル１２d3には、これまでに表示されたＷｅｂページの「ＵＲＬ」と当該Ｗｅｂページ内でリンクの張られた「表示テキスト」および「リンク先ＵＲＬ」、そして各リンクの利用された「利用回数」が対応付けられて記憶される。
【００３６】
図３は、前記携帯端末機器１０の記憶装置１２におけるコンテンツ利用履歴ＤＢ１２ｄにて記憶されるテーブルデータ（その２）を示す図であり、同図（Ｄ）はフォーム情報テーブル１２d4を示す図、同図（Ｅ）はフォーム部品情報テーブル１２d5を示す図、同図（Ｆ）は注目ブロックテーブル１２d6を示す図、同図（Ｇ）は注目テキストテーブル１２d7を示す図である。
【００３７】
フォーム情報テーブル１２d4には、これまでに表示されたＷｅｂページ内で利用された入力フォームの「ＵＲＬ」、「フォームＩＤ」、「フォーム名」（及び又は同入力フォームの「ページ内出現順序」）、「利用回数」が記憶される。
【００３８】
フォーム部品情報テーブル１２d5には、前記利用された入力フォームの「フォームＩＤ」に対応付けられて、当該入力フォーム内で利用されたテキストボックスやボタンなどの「部品名」（及び又は同部品の「フォーム内出現順序」）、同部品の「タイプ」、「利用回数」が記憶される。
【００３９】
注目ブロックテーブル１２d6には、表示されたＷｅｂページ上で所定時間以上拡大表示されたブロック要素があった場合に、当該ブロックの「ブロックＩＤ」とその「注目回数」が記憶される。
【００４０】
注目テキストテーブル１２d7には、前記注目ブロックテーブル１２d6にて「注目回数」が加算されたブロックＩＤに対応付けられて、同ブロック内で範囲設定などの選択操作が行われた「表示テキスト」とその「注目回数」が記憶される。
【００４１】
この携帯端末機器１０によるＷｅｂページの表示処理に際しては、表示されたＷｅｂページの注目ブロックやブロック内テキスト、リンク利用履歴、利用された入力フォームやその部品などが、注目回数や利用回数としてコンテンツ利用履歴ＤＢ１２ｄに記録される。その一方で、前記コンテンツ利用履歴ＤＢ１２ｄに記録された履歴データに基づいて、ユーザの注目度の高いページ内ブロックやテキスト、利用頻度の高いリンク先、入力フォームや部品の表示情報が取得され、予めその注目度や利用頻度の高いページ内の部分が表示に重み付けがされて拡大・強調表示されるものである。また、前記コンテンツ利用履歴ＤＢ１２ｄ内のキャッシュテーブル１２d2に記憶された前回表示された同一ＵＲＬのＨＴＭＬファイルとの比較に基づいて、今回表示されるＷｅｂページ上の更新部分が表示に重み付けがされて強調表示されるものである。
【００４２】
次に、前記構成の第１実施形態の携帯端末機器１０によるＷｅｂページの表示機能について説明する。
【００４３】
図４は、前記携帯端末機器１０のＷｅｂブラウザによるコンテンツ(Ｗｅｂページ)表示およびユーザ操作記録処理を示すフローチャートである。
【００４４】
図５は、前記携帯端末機器１０のコンテンツ(Ｗｅｂページ)表示およびユーザ操作記録処理に伴う部品スタイル重み付け処理を示すフローチャートである。
【００４５】
図６は、前記携帯端末機器１０のコンテンツ(Ｗｅｂページ)表示およびユーザ操作記録処理に伴う部品注目操作記録処理を示すフローチャートである。
【００４６】
図７は、前記携帯端末機器１０のコンテンツ(Ｗｅｂページ)表示およびユーザ操作記録処理に伴うフォーム利用履歴記録処理を示すフローチャートである。
【００４７】
ユーザ操作に基づきブラウザプログラム１２ｃが起動され、ユーザ所望のＷｅｂサイトへのアクセスが実行されることで、該当サイトのコンテンツサーバ２０ａ，２０ｂ，…からそのページのコンテンツ(ＨＴＭＬファイル)が受信されると（ステップＳ１）、受信されたコンテンツ(ＨＴＭＬファイル)内に含まれるブロックの情報が抽出され、このブロックの情報が、前記図２(Ａ)で示したように、コンテンツ利用履歴ＤＢ１２ｄ内のブロック情報テーブル１２d1に保存される(ステップＳ２)。
【００４８】
すると、図５に示す部品スタイル重み付け処理に移行され(ステップＳＡ)、まず、図２(Ｃ)で示したリンク利用履歴テーブル１２d3から現在受信されている「ＵＲＬ」の範囲内で「利用回数」の高い「リンク先ＵＲＬ」「表示テキスト」が判断されて特定され、この表示テキストに拡大・強調表示のための重み付けが行われる(ステップＡ１)。
【００４９】
続いて、図３(Ｄ)で示したフォーム情報テーブル１２d4から現在受信されている「ＵＲＬ」の範囲内で「利用回数」の高い「フォーム名」あるいは「ページ内出現順序」が判断されて特定され、この入力フォームに拡大・強調表示のための重み付けが行われると共に、図３(Ｅ)で示したフォーム部品情報テーブル１２d5から、前記利用回数の高いところの入力フォームＩＤと同じフォームＩＤの範囲内での「利用回数」の高い「部品名」あるいは「フォーム内出現順序」が判断されて特定され、この入力フォームの部品に拡大・強調表示のための重み付けが行われる(ステップＡ２)。
【００５０】
続いて、図２(Ａ)で示したブロック情報テーブル１２d1にて保存された現在受信中の「ＵＲＬ」に対応するところのブロックＩＤの範囲内で、図３(Ｆ)で示した注目ブロックテーブル１２d6から「注目回数」の高い「ブロックＩＤ」が判断されて特定され、該当する表示ブロックに拡大・強調表示のための重み付けが行われる(ステップＡ３)。
【００５１】
さらに、図２(Ａ)で示したブロック情報テーブル１２d1にて保存された現在受信中の「ＵＲＬ」に対応するところのブロックＩＤの範囲内で、図３(Ｇ)で示した注目テキストテーブル１２d7から「注目回数」の高い「表示テキスト」(キーワード)が判断されて特定され、該当する表示テキストに拡大・強調表示のための重み付けが行われる(ステップＡ４)。
【００５２】
すると最後に、現在受信中にあるＷｅｂサイトのＨＴＭＬファイルの内容と、図２(Ｂ)で示したキャッシュテーブル１２d2に保存されている前回アクセス時における同一ＷｅｂサイトのＨＴＭＬファイルの内容とが比較され、その更新のあった部分に拡大・強調表示のための重み付けが行われる(ステップＡ５)。
【００５３】
このようなＷｅｂページ内の利用度／注目度の高いリンク先表示テキスト、入力フォーム及び部品、ブロック、テキスト(キーワード)、そして更新部分に対する拡大・強調表示のための重み付けとは、縮小表示の中でも文字が読めるように拡大表示すること、目を引くように太字表示にすること、色変更したり反転したり枠線など文字修飾したりして表示することなどを示している。
【００５４】
こうして前記図５における部品スタイル重み付け処理が終了すると、受信されたＷｅｂページのＨＴＭＬファイルが、前記重み付け処理された各部品の特定された状態で、コンテンツ利用履歴ＤＢ１２ｄ内のキャッシュテーブル１２d2(図２(Ｂ)参照)に保存される(ステップＳ３)。
【００５５】
そして、前記キャッシュテーブル１２d2に保存された現在受信中のＷｅｂページのＨＴＭＬファイルがブラウザにより表示データに変換され、前記重み付け処理された各部品が拡大・強調された状態で表示部１７に表示される(ステップＳ４)。
【００５６】
図８は、前記携帯端末機器１０のＷｅｂブラウザによるコンテンツ(Ｗｅｂページ)表示およびユーザ操作記録処理に伴い表示部１７に表示された部品重み付け処理後のＷｅｂページ表示画面を示す図であり、同図（Ａ）は特定部品の拡大強調表示された社内業務ポータル画面Ｇ１を抜き出して示す図、同図（Ｂ）は特定部品の拡大強調表示されたＷｅｂメール画面Ｇ２を抜き出して示す図である。
【００５７】
すなわち、前記図８(Ａ)に示すように、特定部品の拡大強調表示された社内業務ポータル画面Ｇ１では、過去に注目回数の多いブロックに位置合わせされて表示されると共に、その中で利用回数の高いリンク先の表示テキストＲ１，Ｒ２，Ｒ３が拡大・太字表示され、また注目回数の高いテキストＴが拡大・太字表示される。
【００５８】
また、前記図８（Ｂ）に示すように、特定部品の拡大強調表示されたＷｅｂメール画面Ｇ２では、過去に注目回数の多い受信メールのブロックに位置合わせされて表示されると共に、その中で注目回数の高いメール項目のテキストＭ１，Ｍ２が拡大・太字表示され、また利用回数の高いリンク先の表示テキストＲ１，Ｒ２，Ｒ３が拡大・太字表示される。
【００５９】
これにより、ユーザ所望のＷｅｂページの表示において、当該ユーザがこれまでに注目したブロック部分及びそのテキスト部分、これまでに利用したリンク部分や入力フォーム部分が選択的に拡大・強調表示されるようになり、本携帯端末機器１０という小型な表示画面サイズであっても、ユーザ個々人にとって非常に見やすく使いやすいページ表示を行うことができる。
【００６０】
すると続いて、図６に示す部品注目操作記録処理へ移行される(ステップＳＢ)。
【００６１】
この部品注目操作記録処理が起動されると、現在表示されているＷｅｂページにおいて、ユーザ操作に基づき所望のブロックの拡大（ズーム）処理が行われたか否かが判断される（ステップＢ１）。
【００６２】
ここで、拡大（ズーム）処理が行われたと判断された場合には（ステップＢ１（ｙｅｓ））、当該拡大処理された同一ブロックの表示状態がそのまま所定時間以上連続したか否か判断され（ステップＢ２）、所定時間以上連続したと判断された場合、つまり当該拡大表示中のブロック部分がユーザによる注目ブロックであると判断された場合には（ステップＢ２（ｙｅｓ））、ブロック情報テーブル１２d1（図２（Ａ）参照）に基づき判別される該当ブロックの「ブロックＩＤ」に対応して、注目ブロックテーブル１２d6（図３（Ｆ）参照）にその「ブロックＩＤ」および「注目回数」が記録される（ステップＢ３）。
【００６３】
これに伴い、前記所定時間以上の拡大表示が連続されたブロック内のテキスト文字列も同様に注目されたテキストであると判断できるので、注目テキストテーブル１２d7（図３（Ｇ）参照）にその「ブロックＩＤ」「表示テキスト」および「注目回数」が記録される（ステップＢ４）。
【００６４】
続いて、ユーザ操作に基づきＷｅｂページ上のテキスト文字列に対する選択処理が行われたか否かが判断される（ステップＢ５）。
【００６５】
ここで、テキスト文字列の選択処理が行われたと判断された場合、つまり当該テキスト文字列がユーザによる注目テキストであると判断された場合には（ステップＢ５（ｙｅｓ））、当該注目テキストが属するブロック部分の「ブロックＩＤ」に対応して、注目テキストテーブル１２d7（図３（Ｇ）参照）にその「ブロックＩＤ」「表示テキスト」および「注目回数」が記録される（ステップＢ６）。
【００６６】
このような部品注目操作記録処理により、表示されているＷｅｂページ上の注目ブロックおよび注目テキストの記録が行われると、次に同Ｗｅｂページ上でリンク先の設定されたテキスト文字列がクリック操作により指定されたか否か判断される（ステップＳ５）。
【００６７】
ここで、リンク先の設定されたテキスト文字列がクリック操作により指定されたと判断された場合には（ステップＳ５（ｙｅｓ））、リンク利用履歴テーブル１２d3に対して現在のＷｅｂページの「ＵＲＬ」、「リンク先ＵＲＬ」、当該リンクの設定された「表示テキスト」、「利用回数」が記録される（ステップＳ６）。
【００６８】
すると、前記指定されたリンク先のコンテンツサーバ２０ａ，２０ｂ，…に対してページコンテンツの送信が要求され（ステップＳ８）、これに応答してコンテンツサーバ２０ａ，２０ｂ，…から送信されたリンク先ＷｅｂページのＨＴＭＬファイルが新たに受信される（ステップＳ１）。
【００６９】
一方、前記ステップＳ５おいて、リンク先の設定されたテキスト文字列に対するクリック操作による指定が判断されない状態で（ステップＳ５（ｎｏ））、入力フォームの送信があったと判断された場合には（ステップＳ７（ｙｅｓ））、図７におけるフォーム利用履歴記録処理へ移行される（ステップＳＣ）。
【００７０】
このフォーム利用履歴記録処理が起動されると、図３（Ｄ）で示すフォーム情報テーブル１２d4に対して、前記送信された入力フォームの「ＵＲＬ」、「フォームＩＤ」、「フォーム名」、「ページ内出現順序」、「利用回数」からなるフォーム利用情報が記録される（ステップＣ１）。
【００７１】
またこれと共に、図３（Ｅ）で示すフォーム部品情報テーブル１２d5に対して、当該入力フォームの「フォームＩＤ」、「部品名」、「フォーム内出現順序」、部品の「タイプ」、「利用回数」が記録される（ステップＣ２）。
【００７２】
そして、前記フォーム部品情報テーブル１２d5における該当する「フォームＩＤ」に対応づけられた各部品毎の「利用回数」については、今回何らかのデータが入力された部品に対応する「利用回数」にだけカウントされて加算される（ステップＣ３）。
【００７３】
このようなフォーム利用履歴記録処理により、表示されているＷｅｂページ上での利用された入力フォームおよび使用されたフォーム内部品の記録が行われると、前記入力フォーム送信先のコンテンツサーバ２０ａ，２０ｂ，…に対してページコンテンツの送信が要求され（ステップＳ８）、これに応答してコンテンツサーバ２０ａ，２０ｂ，…から送信されたフォーム送信先ＷｅｂページのＨＴＭＬファイルが新たに受信される（ステップＳ１）。
【００７４】
一方、前記ステップＳ５において、リンク先の設定されたテキスト文字列に対するクリック操作による指定が判断されない状態であって（ステップＳ５（ｎｏ））、且つ、入力フォームの送信があったと判断されない状態では（ステップＳ７（ｎｏ））、ブラウザによるＷｅｂページ表示の終了操作が行われたか否かが判断される（ステップＳ９）。
【００７５】
そして、このＷｅｂページ表示の終了操作が行われていないと判断される状態では（ステップＳ９（ｎｏ））、前記ステップＳＢにおける部品注目操作記録処理、前記ステップＳ５におけるリンク先設定テキストの指定判断処理、前記ステップＳ７におけるフォーム送信判断処理が同様に繰り返される。
【００７６】
この後、前記Ｗｅｂページ表示の終了操作が行われたと判断されると（ステップＳ９（ｙｅｓ））、前記図４〜図７で示した一連のコンテンツ(Ｗｅｂページ)表示およびユーザ操作記録処理が終了される。
【００７７】
したがって、前記構成の第１実施形態の携帯端末機器１０によるＷｅｂページの表示機能によれば、表示されたＷｅｂページ上で所定時間以上拡大表示されたり選択表示されたりしたブロックの情報や当該ブロック内の表示テキストの情報を、その拡大処理や選択処理された回数である「注目回数」を対応づけて注目ブロックテーブル１２d6や注目テキストテーブル１２d7に記録すると共に、リンク先の設定されたテキスト文字列が指定された場合には、その設定リンク先および表示テキストの情報を、指定された回数である「利用回数」を対応づけてリンク利用履歴テーブル１２d3に記録し、さらに、入力フォームの送信が行われた場合には、その送信された入力フォームの情報や当該入力フォーム内の部品の情報を、入力フォームの「利用回数」や各部品の使用回数である「利用回数」を対応づけてフォーム情報テーブル１２d4やフォーム部品情報テーブル１２d5に記録する。そして、表示されるＷｅｂページは、前記各テーブル１２d3〜１２d7に記録された情報に基づき、利用回数の高いリンク先の設定されたテキスト文字列や入力フォームおよびフォーム内部品、注目回数の高いブロック部分及びブロック内のテキスト文字列について表示スタイルが重み付け処理され拡大・強調されて表示される。
【００７８】
これにより、携帯端末機器１０の小型な表示画面であっても、ユーザが日頃閲覧しているブロック部分や表示テキストを見たり、あるいは日頃使用しているリンク設定テキストや入力フォームを利用したりする際に、大幅な画面移動操作による表示内容の検索や微細で部分的な範囲指定操作ならびに拡大操作など、様々な面倒な操作を行う必要なく、ユーザ個々人の利用形態に合った容易で快適なＷｅｂページの閲覧を行うことができるようになる。
【００７９】
なお、前記第１実施形態では、現在表示中のＷｅｂページについて、過去の注目回数が高いブロック部分やテキスト文字列、過去の利用回数が高いリンク設定のテキスト文字列や入力フォームの部品を判断して表示の重み付けを行い、これを拡大・強調して表示する構成としたが、例えば図９に示すように、リンク先の設定されたテキスト文字列ＲｎがマウスポインタＰによって指示された場合に、そのリンク先のＵＲＬに対応付けられて記録されている前記各テーブル１２d3〜１２d7の情報に基づき、当該リンク先である次のＷｅｂページに含まれて注目回数や利用回数が高いブロック部分のテキスト文字列やリンク設定のテキスト文字列などを判断し、前記マウスポインタＰの位置に合わせてウインドウＷによって表示する構成としてもよい。
【００８０】
こうすることでユーザは、次に表示させようとしているＷｅｂページ上に過去にユーザ自身が注目した回数の高いテキスト文字列があることや利用回数の高い入力フォームがあることを事前に知ることができる。
【００８１】
図９は、前記携帯端末機器１０のＷｅｂブラウザによるコンテンツ(Ｗｅｂページ)表示およびユーザ操作記録処理に伴い、表示部１７に表示されたリンク先のテキスト文字列ＲｎをポインタＰにより指定した場合の次ページ情報ウインドウＷの事前表示状態を示す図である。
【００８２】
図１０は、前記第１実施形態の携帯端末機器１０によって社内業務ポータルサイトからユーザ所望の入力フォームを利用するまでの表示動作を従来の表示動作と対比して示す図である。
【００８３】
すなわち、図１０（Ｐ１）で示すように、従来の携帯端末機器によって社内業務ポータル画面Ｇ１を表示させた場合、最初は全体縮小画面として表示されるためにその中身が小さすぎて読めず、部分的に位置合わせしながらの拡大操作処理が必要になる。
【００８４】
ここで、図１０（Ｐ２）で示すように、位置合わせおよび拡大処理されたリンク設定のテキスト文字列（例えば「旅費精算」）Ｒ１を指示すると、図１０（Ｐ３）で示すように、リンク先である「旅費精算」の入力フォームＦに移動して表示されるが、当該入力フォームＦは再び全体縮小画面として表示されるためにその中身が小さすぎて読めず、もう一度前記同様に部分的に位置合わせしながらの拡大操作処理が必要になる。
【００８５】
すると、図１０（Ｐ４）で示すように、入力フォームＦ内で入力を要するテキストボックスＴＢおよび送信ボタンＢの位置に位置合わせされて拡大表示され、最終的には３回の画面変更操作を行わないと所望の入力操作ができないことになる。
【００８６】
これに対し、図１０（Ｑ１）で示すように、前記第１実施形態の携帯端末機器１０によって社内業務ポータル画面Ｇ１を表示させた場合、最初の表示画面においてユーザがこれまでに使用してきたリンク設定のテキスト文字列（例えば「旅費精算」）Ｒ１に対応させた位置合わせおよび拡大処理がなされて表示されるようになり、直ぐに「旅費精算」の入力フォームＦへのリンクを指示することができる。
【００８７】
そして、前記リンク設定のテキスト文字列「旅費精算」Ｒ１を指示すると、図１０（Ｑ２）で示すように、リンク先である「旅費精算」の入力フォームＦに移動するだけでなく、当該入力フォームＦ内で入力を要するテキストボックスＴＢおよび送信ボタンＢの位置に直ちに位置合わせされて拡大表示されるようになり、僅か１回の画面遷移を行うだけで所望の入力操作ができることになる。
【００８８】
なお、前記第１実施形態では、ユーザ所望のＷｅｂページのコンテンツを受信して表示させる携帯端末機器１０の側において、Ｗｅｂページの操作表示に基づいたコンテンツ利用履歴ＤＢ１２ｄの記録生成を行うと共に、このコンテンツ利用履歴ＤＢ１２ｄに記録されたコンテンツ利用履歴（各テーブル１２d1〜１２d7）に応じて、表示すべきＷｅｂページ上で過去に注目頻度の高いブロック部分やそのテキスト文字列あるいは過去に利用頻度の高いリンク設定のテキスト文字列や入力フォームおよびその入力部品を拡大・強調処理して表示する構成とした。
【００８９】
これに対し、次の第２実施形態の情報表示システム（図１１〜図１４参照）として説明するように、ネットワークＮに接続された各ユーザ端末（携帯端末機器）１０′毎のコンテンツ利用履歴を一括して管理するコンテンツ利用履歴ＤＢ３１を備えたコンテンツ変換サーバ３０を設け、このコンテンツ変換サーバ３０において、各ユーザ端末（携帯端末機器）１０′からのＷｅｂページのコンテンツ要求を受け付けると共に、このコンテンツ要求に応じてコンテンツサーバ２０ａ，２０ｂ，…から受信されたＷｅｂページのコンテンツを前記コンテンツ利用履歴ＤＢ３１に記録された各ユーザ端末（携帯端末機器）１０′毎のコンテンツ利用履歴に応じて表示の重み付け加工を行い、この重み付け加工済みのコンテンツデータを各ユーザ端末（携帯端末機器）１０′に送信する。そして、前記第１実施形態同様の注目頻度および利用頻度に応じたＷｅｂページの拡大・強調表示を行わせる構成としてもよい。
【００９０】
これによれば、各ユーザ端末（携帯端末機器）１０′，…の側での必要メモリ容量および処理負担を大幅に削減することができる。
【００９１】
（第２実施形態）
図１１は、本発明の第２実施形態に係る情報表示システムの全体構成を示す図である。
【００９２】
この第２実施形態の情報表示システムでは、ユーザ端末（携帯端末機器）１０′がそのブラウザプログラム１２ｃによってコンテンツサーバ２０ａ，２０ｂ，…から受信した所望のＷｅｂページのコンテンツ（ＨＴＭＬファイル）を変換して表示するようにしたネットワークシステムにおいて、ユーザ端末（携帯端末機器）１０′とコンテンツサーバ２０ａ，２０ｂ，…との間でのＷｅｂページのコンテンツ要求およびその応答コンテンツの中継処理を行うコンテンツ変換サーバ３０を設ける。
【００９３】
このコンテンツ変換サーバ３０では、各ユーザ端末（携帯端末機器）１０′毎のコンテンツ利用履歴をコンテンツ利用履歴ＤＢ３１により一括して管理すると共に、各ユーザ端末（携帯端末機器）１０′からのＷｅｂページのコンテンツ要求を受け付ける。そして、このコンテンツ要求に応じてコンテンツサーバ２０ａ，２０ｂ，…から受信されたＷｅｂページのコンテンツを前記コンテンツ利用履歴ＤＢ３１に記録された各ユーザ端末（携帯端末機器）１０′毎のコンテンツ利用履歴に応じて表示の重み付け加工を行い、この重み付け加工済みのコンテンツデータを各ユーザ端末（携帯端末機器）１０′に送信する。
【００９４】
図１２は、前記第２実施形態の情報表示システムにおけるコンテンツ変換サーバ３０でのコンテンツ処理を示すフローチャートである。
【００９５】
図１３は、前記第２実施形態の情報表示システムにおけるユーザ端末（携帯端末機器）１０′でのコンテンツ表示・ユーザ操作記録処理を示すフローチャートである。
【００９６】
コンテンツ変換サーバ３０において、ユーザ端末（携帯端末機器）１０′からの所望のＷｅｂサイトへのコンテンツ要求が中継されることで、当該所望のＷｅｂサイトのコンテンツサーバ２０ａ，２０ｂ，…からそのＷｅｂページのコンテンツ(ＨＴＭＬファイル)が受信されると（ステップＨ１）、受信されたコンテンツ(ＨＴＭＬファイル)内に含まれるブロックの情報が抽出され、このブロックの情報が、コンテンツ利用履歴ＤＢ３１内のブロック情報テーブル１２d1（図２(Ａ)参照）に保存される(ステップＨ２)。
【００９７】
すると、前記図５で示した部品スタイル重み付け処理に移行され(ステップＨＡ)、受信されたＷｅｂページ内の利用度／注目度の高いリンク先表示テキスト、入力フォーム及び部品、ブロック、テキスト(キーワード)、そして更新部分に対する拡大・強調表示のための重み付け処理が行われる（ステップＡ１〜Ａ５)。
【００９８】
そして前記図５における部品スタイル重み付け処理が終了すると、受信されたＷｅｂページのＨＴＭＬファイルが、前記重み付け処理された各部品の特定された状態で、コンテンツ利用履歴ＤＢ３１内のキャッシュテーブル１２d2(図２(Ｂ)参照)に保存される(ステップＨ３)。
【００９９】
すると、前記表示の重み付け処理がなされてキャッシュテーブル１２d2に保存された受信中のＷｅｂページのＨＴＭＬファイルが前記コンテンツ要求元のユーザ端末（携帯端末機器）１０′へ送信される（ステップＨ４）。
【０１００】
ユーザ端末（携帯端末機器）１０′において、前記コンテンツ変換サーバ３０から送信された所望のＷｅｂページのＨＴＭＬファイルが受信されると（ステップＩ１）、ブラウザにより表示データに変換され、前記図８（Ａ）（Ｂ）、あるいは図９、あるいは図１０（Ｑ１）（Ｑ２）で示したように、重み付け処理された各部品が拡大・強調された状態で表示部１７に表示される(ステップＩ２)。
【０１０１】
これにより、ユーザ端末（携帯端末機器）１０′では、コンテンツ利用履歴ＤＢ３１を備える必要なく、ユーザ所望のＷｅｂページの表示において、当該ユーザがこれまでに注目したブロック部分及びそのテキスト部分、これまでに利用したリンク部分や入力フォーム部分が選択的に拡大・強調表示されるようになる。よって、大きなメモリ容量を有さず、また小型な画面サイズの携帯端末機器１０′であっても、ユーザ個々人にとって非常に見やすく使いやすいページ表示を行うことができる。
【０１０２】
すると続いて、前記図６で示した部品注目操作記録処理へ移行され(ステップＩＢ)、現在表示されているＷｅｂページについて、所定時間以上の拡大表示に基づいた注目ブロックおよびそのブロック内テキストの記録処理（ステップＢ１〜Ｂ４）、テキスト選択に基づいた注目テキストの記録処理（ステップＢ５，Ｂ６）が実行される。
【０１０３】
この第２実施形態の部品注目操作記録処理での注目ブロックならびに注目テキストの記録処理は（ステップＢ３，Ｂ４，Ｂ６）、何れもＲＡＭ１５内の作業用メモリに対して行われ一時記憶される。
【０１０４】
このような部品注目操作記録処理により、表示されているＷｅｂページ上の注目ブロックおよび注目テキストの一時記録が行われると、次に同Ｗｅｂページ上でリンク先の設定されたテキスト文字列がクリック操作により指定されたか否か判断される（ステップＩ３）。
【０１０５】
ここで、リンク先の設定されたテキスト文字列がクリック操作により指定されたと判断された場合には（ステップＩ３（ｙｅｓ））、現在のＷｅｂページの「ＵＲＬ」、「リンク先ＵＲＬ」、当該リンクの設定された「表示テキスト」、「利用回数」がＲＡＭ１５内の作業用メモリに一時記録される（ステップＩ４）。
【０１０６】
すると、前記指定されたリンク先であるＷｅｂページのコンテンツが、コンテンツ変換サーバ３０に対して要求されると共に、前記ステップＩＢおよびステップＩ４においてＲＡＭ１５内の作業用メモリに一時記録された注目ブロック情報、注目テキスト情報、リンク利用情報が読み出され、同コンテンツ変換サーバ３０に対して送信される（ステップＩ６）。
【０１０７】
一方、前記ステップＩ３おいて、リンク先の設定されたテキスト文字列に対するクリック操作による指定が判断されない状態で（ステップＩ３（ｎｏ））、入力フォームの送信があったと判断された場合には（ステップＩ５（ｙｅｓ））、前記図７におけるフォーム利用履歴記録処理へ移行され（ステップＩＣ）、利用フォーム情報の保存（ステップＣ１）、利用フォーム部品情報の保存（ステップＣ２）、利用フォーム各部品の使用回数加算処理（ステップＣ３）が行われ、何れの情報もＲＡＭ１５内の作業用メモリに一時記憶される。
【０１０８】
このようなフォーム利用履歴記録処理により、表示されているＷｅｂページ上での利用された入力フォームおよび使用されたフォーム内部品の一時記録が行われると、前記入力フォーム送信先のＷｅｂページのコンテンツが、コンテンツ変換サーバ３０に対して要求されると共に、前記ステップＩＢにおいてＲＡＭ１５内の作業用メモリに一時記録された注目ブロック情報、注目テキスト情報、および前記ステップＩＣにおいて同ＲＡＭ１５内の作業用メモリに一時記録されたフォーム利用情報が読み出され、同コンテンツ変換サーバ３０に対して送信される（ステップＩ６）。
【０１０９】
一方、前記ステップＩ３において、リンク先の設定されたテキスト文字列に対するクリック操作による指定が判断されない状態であって（ステップＩ３（ｎｏ））、且つ、入力フォームの送信があったと判断されない状態では（ステップＩ５（ｎｏ））、ブラウザによるＷｅｂページ表示の終了操作が行われたか否かが判断される（ステップＩ７）。
【０１１０】
そして、このＷｅｂページ表示の終了操作が行われていないと判断される状態では（ステップＩ７（ｎｏ））、前記ステップＩＢにおける部品注目操作記録処理、前記ステップＩ３におけるリンク先設定テキストの指定判断処理、前記ステップＩ５におけるフォーム送信判断処理が同様に繰り返される。
【０１１１】
この後、前記Ｗｅｂページ表示の終了操作が行われたと判断されると（ステップＩ７（ｙｅｓ））、前記一連のコンテンツ(Ｗｅｂページ)表示およびユーザ操作記録処理が終了される。
【０１１２】
図１４は、前記第２実施形態の情報表示システムにおけるコンテンツ変換サーバ３０でのユーザ操作情報記録処理を示すフローチャートである。
【０１１３】
このコンテンツ変換サーバ３０におけるユーザ操作情報記録処理では、前記ユーザ端末（携帯端末機器）１０′におけるコンテンツ表示・ユーザ操作記録処理に伴い一時記録されて送信された注目ブロック情報、注目テキスト情報、リンク利用情報、フォーム利用情報が受信され、それぞれコンテンツ利用履歴ＤＢ３０における注目ブロックテーブル１２d6（図３（Ｆ）参照）、注目テキストテーブル１２d7（図３（Ｇ）参照）、リンク利用履歴テーブル１２d3（図２（Ｃ）参照）、フォーム情報テーブル１２d4（図３（Ｄ）参照）、フォーム部品情報テーブル１２d5（図３（Ｅ）参照）に記録される（ステップＪ１〜Ｊ３）。
【０１１４】
したがって、前記構成の第２実施形態の情報表示システムによるＷｅｂページの表示機能によれば、ネットワークＮに接続された各ユーザ端末（携帯端末機器）１０′毎のコンテンツ利用履歴を一括して管理するコンテンツ利用履歴ＤＢ３１を備えたコンテンツ変換サーバ３０を設け、このコンテンツ変換サーバ３０において、各ユーザ端末（携帯端末機器）１０′からのＷｅｂページのコンテンツ要求を受け付けると共に、このコンテンツ要求に応じてコンテンツサーバ２０ａ，２０ｂ，…から受信されたＷｅｂページのコンテンツを前記コンテンツ利用履歴ＤＢ３１に記録された各ユーザ端末（携帯端末機器）１０′毎のコンテンツ利用履歴に応じて表示の重み付け加工を行い、この重み付け加工済みのコンテンツデータを各ユーザ端末（携帯端末機器）１０′に送信する。
【０１１５】
このため、ユーザ端末（携帯端末機器）１０′では、コンテンツ利用履歴ＤＢ３１を備える必要なく、また少ない処理負荷で、ユーザ所望のＷｅｂページの表示において、当該ユーザがこれまでに注目したブロック部分及びそのテキスト部分、これまでに利用したリンク部分や入力フォーム部分が選択的に拡大・強調されて表示されるようになる。
【０１１６】
よって、大きなメモリ容量を有さず、また高性能でもない、小型な画面サイズのユーザ端末（携帯端末機器）１０′であっても、ユーザ個々人にとって非常に見やすく使いやすいページ表示を行うことができる。
【０１１７】
なお、前記各実施形態では、携帯端末機器１０に備えられるコンテンツ利用履歴ＤＢ１２ｄ、あるいはコンテンツ変換サーバ３０に設けられたコンテンツ利用履歴ＤＢ３１によって、各携帯端末機器１０（１０′）毎のＷｅｂページの表示操作履歴を記録し、Ｗｅｂページの表示に際しては、その表示を行う携帯端末機器１０（１０′）に対応したコンテンツ利用履歴のみに応じて注目ブロック・注目テキスト・利用入力フォーム・利用リンクテキストなどの拡大・強調処理を行う構成とした。
【０１１８】
これに対して、次の第３実施形態の情報表示システムにおいて説明するように、ネットワークＮ上に接続された複数のユーザの携帯端末機器１０，…それぞれにおけるコンテンツ利用履歴を、コンテンツ変換サーバ３０に設けたコンテンツ利用履歴ＤＢ３１′に記録すると共に、この各ユーザ機器に対応したコンテンツ利用履歴を当該各利用履歴に類似性のある機器ユーザ同士対応付けて管理し、例えばあるユーザの機器１０において初めて表示するＷｅｂページであっても、当該機器ユーザに対応付けられて管理された類似性のある他の機器ユーザの利用履歴に基づいて注目頻度の高いブロックやテキスト文字列、利用頻度の高いリンク設定のテキスト文字列や入力フォームを拡大・強調処理して表示させる構成としてもよい。
【０１１９】
（第３実施形態）
図１５は、本発明の第３実施形態に係る情報表示システムのコンテンツ変換サーバ３０に備えられるユーザ類似情報テーブル３２を示す図である。
【０１２０】
このユーザ類似情報テーブル３２には、各携帯端末機器１０′，…毎のコンテンツ利用履歴ＤＢ３１′に付加されたユーザＩＤに対して、その利用履歴が例えば利用頻度の高いＷｅｂサイト（ＵＲＬ）や注目頻度の高いブロックが同一であるなど、類似傾向にあるところのユーザＩＤが対応付けられて記憶される。
【０１２１】
図１６は、前記第３実施形態に係る情報表示システムにおけるユーザ類似情報テーブル３２の更新処理を示すフローチャートである。
【０１２２】
このユーザ類似情報テーブル３２の更新処理は、例えば各ユーザ端末（携帯端末機器）１０′，…でのコンテンツ表示・ユーザ操作記録処理（図１３参照）に伴い、そのときのユーザ操作情報がコンテンツ変換サーバ３０に受信される毎、あるいは１日１回起動されて実行される。
【０１２３】
変数ｎによりカウントされるユーザｎの操作情報が受信されると（ステップＫ１，Ｋ２）、当該ユーザｎの操作情報である注目ブロック情報や注目テキスト情報、リンク利用情報、フォーム利用情報のうちで、例えば２つの同一の情報を有する他のユーザのコンテンツ利用履歴がコンテンツ利用履歴ＤＢ３１′内に存在するか否か判断される（ステップＫ３）。
【０１２４】
ここで、あるユーザｎの携帯端末機器１０′から受信されたユーザ操作情報について、コンテンツ利用履歴ＤＢ３１′内に同一の情報を有する他のユーザのコンテンツ利用履歴が存在する（類似ユーザ存在）と判断された場合には（ステップＫ３（ｙｅｓ））、前記ユーザ類似情報テーブル３２（図１５参照）に対して、今回ユーザ操作情報が受信されたユーザｎのユーザＩＤに対応付けされて前記類似ユーザ存在と判断された他のユーザのユーザＩＤが登録される（ステップＫ４）。
【０１２５】
続いて、前記ユーザｎの携帯端末機器１０′から受信されたユーザ操作情報について、前記ユーザ類似情報テーブル３２（図１５参照）にて当該ユーザのユーザＩＤに対応付けられた類似傾向のユーザ操作情報（コンテンツ利用履歴）を有するユーザＩＤが登録されている場合に、前記受信されたユーザ操作情報が変化したことでその類似性がなくなったと判断された場合には（ステップＫ５（ｙｅｓ））、当該類似性のなくなったユーザＩＤ同士の登録が削除される（ステップＫ６）。
【０１２６】
すると、ユーザｎが更新されて全ユーザ数（携帯端末機器１０′，…）を超えたか否か判断され（ステップＫ８）、全ユーザ数を超えてないと判断された場合には（ステップＫ８（ｎｏ））、次のユーザ端末（携帯端末機器）１０′からのユーザ操作情報（コンテンツ利用履歴）の受信に応じた前記同様のテーブル更新処理が繰り返される（ステップＫ２〜Ｋ７）。
【０１２７】
このようなユーザ類似情報テーブル３２を備えたコンテンツ変換サーバ３０でのコンテンツ処理は、前記図１２における第２実施形態のコンテンツ処理と同一の処理ステップ（Ｈ１〜Ｈ４）を経て実行される。そして、このコンテンツ処理に伴う部品スタイル重み付け処理（ステップＨＡ；図５参照）では、アクセス中のユーザ端末（携帯端末機器）１０′のユーザＩＤに対応するところのコンテンツ利用履歴ＤＢ３１′だけでなく、前記ユーザ類似情報テーブル３２において登録されている類似傾向のユーザＩＤに対応するところのコンテンツ利用履歴ＤＢ３１′も参照されて、注目ブロック・注目テキスト・利用入力フォーム・利用リンクテキストなどに対する拡大・強調表示のための重み付け処理が行われる。
【０１２８】
これにより、ユーザ端末（携帯端末機器）１０′では、前記図１３で示したコンテンツ表示・ユーザ操作記録処理に従い、前記コンテンツ変換サーバ３０にて重み付け処理されたＷｅｂページのコンテンツが受信され、ブラウザにより変換されて表示される。
【０１２９】
したがって、前記構成の第３実施形態の情報表示システムによるＷｅｂページの表示機能によれば、各ユーザ端末（携帯端末機器）１０′，…毎のコンテンツ利用履歴を記録したコンテンツ利用履歴ＤＢ３１′を該当ユーザのユーザＩＤに対応付けしてコンテンツ変換サーバ３０に備えさせると共に、各ユーザ間で類似性のあるコンテンツ利用履歴をそのユーザＩＤを対応付けて示すユーザ類似情報テーブル３２により登録管理し、あるユーザ端末（携帯端末機器）１０′にてＷｅｂページの表示を行う際に、前記ユーザ類似情報テーブル３２にて類似傾向とするユーザＩＤが登録されている場合には、アクセスユーザのコンテンツ利用履歴ＤＢ３１′だけでなく類似性有りとして登録されたユーザＩＤに対応するコンテンツ利用履歴ＤＢ３１′をも参照して、ページ内注目ブロック・注目テキスト・利用入力フォーム・利用リンクテキストなどに対する拡大・強調表示のための重み付け処理がなされる。
【０１３０】
これにより、コンテンツ利用履歴が類似している他のユーザによって注目頻度の高いページ内ブロックやテキスト文字列、利用頻度の高い入力フォームやリンク設定テキスト文字列を拡大・強調表示させることができ、小型な表示画面の携帯端末機器１０′であっても面倒な操作を必要とせず、重要性のある情報を見落とさずに確認できるようになる。
【０１３１】
また、あるユーザ端末（携帯端末機器）１０′によって初めてアクセスしたＷｅｂページであっても、類似傾向のユーザＩＤが登録されているコンテンツ利用履歴ＤＢ３１′が存在すれば、重要性のあるブロック部分やテキスト文字列を拡大・強調処理して表示させることができる。
【０１３２】
（第４実施形態）
前記第１〜第３実施形態では、携帯端末機器１０（１０′）から要求されたユーザ所望のＷｅｂページのコンテンツに対してのみ、そのコンテンツ利用履歴に応じた表示の重み付け処理を行い、当該ページ内で注目頻度の高いブロック部分やテキスト文字列、利用頻度の高い入力フォームやリンク設定テキスト文字列の拡大・強調表示を行う構成とした。
【０１３３】
この第４実施形態では、コンテンツ利用履歴ＤＢ１２ｄ（３１）（３１′）に記録された異なるＷｅｂページ（ＵＲＬ）それぞれのコンテンツ利用履歴を参照して、複数のＷｅｂページそれぞれにおける注目ブロック部分や注目テキスト文字列、あるいは利用入力フォームや利用リンク設定テキスト文字列を合成して編集し、オリジナルのページコンテンツを生成して表示させる。
【０１３４】
従ってこの第４実施形態は、前記第１実施形態のように携帯端末機器１０の単独の情報表示装置において構成実施してもよいし、また前記第２，第３実施形態のように、コンテンツ変換サーバ３０を設けた情報表示システムにおいて構成実施してもよい。
【０１３５】
ここでは、携帯端末機器１０にコンテンツ利用履歴ＤＢ１２ｄを備えて実現した、単独の情報表示装置において構成実施した場合について説明する。
【０１３６】
図１７は、本発明の第４実施形態に係る携帯端末機器１０でのオリジナルコンテンツ生成処理を示すフローチャートである。
【０１３７】
まず、ＲＡＭ１５内のコンテンツ利用履歴ＤＢ１２ｄの注目ブロックテーブル１２d6（図３（Ｆ）参照）およびブロック情報テーブル１２d1（図２（Ａ）参照）に基づき、注目回数の多いところのＷｅｂページのブロックＩＤを判断し、当該注目回数の多いＷｅｂページのブロック部分をコンテンツサーバ２０ａ，２０ｂ，…から取得する（ステップＬ１）。
【０１３８】
このステップＬ１では、単に注目回数の多いＷｅｂページのブロック部分として膨大な量のブロック部分が取得されるので、キャッシュテーブル１２d2に記録されている前回のＷｅｂアクセス時のページコンテンツと比較し、変更・更新されているブロック部分だけを特定する（ステップＬ２）。
【０１３９】
すると次に、コンテンツ利用履歴ＤＢ１２ｄのフォーム情報テーブル（図３（Ｄ）参照）に基づき、利用回数が多いところのＷｅｂページの入力フォームを判断し、当該利用回数の多いＷｅｂページの入力フォームを含むブロック部分をコンテンツサーバ２０ａ，２０ｂ，…から取得する（ステップＬ３）。
【０１４０】
またさらに、コンテンツ利用履歴ＤＢ１２ｄのリンク利用履歴テーブル（図２（Ｃ）参照）に基づき、利用回数が多いところのＷｅｂページのリンク設定テキスト文字列を判断し、当該利用回数の多いリンク設定テキスト文字列をコンテンツサーバ２０ａ，２０ｂ，…から取得する（ステップＬ４）。
【０１４１】
そして、前記ステップＬ１〜Ｌ４において取得された注目回数の多いＷｅｂページのブロック部分、利用回数の多い入力フォームを含むＷｅｂページのブロック部分、利用回数の多いＷｅｂページのリンク設定テキスト文字列が、ＲＡＭ１５内の作業用メモリ上で合成編集され、オリジナルのページコンテンツが生成される（ステップＬ５）。
【０１４２】
図１８は、前記第４実施形態に係る携帯端末機器１０でのオリジナルコンテンツ生成処理に伴い生成されたオリジナルコンテンツ画面Ｇ３を示す図である。
【０１４３】
すなわち、このオリジナルコンテンツ画面Ｇ３では、ユーザ注目頻度が高く最近更新されたＷｅｂページのブロック部分およびそのテキスト文字列Ｔと、ユーザ利用頻度の高いＷｅｂページの入力フォームＦおよびそのテキストボックスＴＢ・「送信」ボタンＢを含むブロック部分と、ユーザ利用頻度の高いＷｅｂページのリンク設定テキスト文字列Ｒ１，Ｒ２とが合成されて表示された例を示している。
【０１４４】
したがって、前記構成の第４実施形態の携帯端末機器１０によるオリジナルコンテンツ生成機能によれば、コンテンツ利用履歴ＤＢ１２ｄに記録された閲覧済みＷｅｂページの注目ブロック情報や注目テキスト情報、同閲覧済みＷｅｂページの利用入力フォーム情報や利用リンク設定テキスト情報に基づき、注目頻度の高いブロック情報やテキスト情報、利用頻度の高い入力フォーム情報やリンク設定テキスト情報を、Ｗｅｂページの異同に関係なく取得し、オリジナルコンテンツ画面Ｇ３として合成編集して表示させるので、これまでは別々のＷｅｂページに移動して確認あるいは入力処理していた内容を、１つの統一されたページの中だけで行うことができる。
【０１４５】
この第４実施形態によるオリジナルコンテンツ生成機能は、前述したとおり、前記第２，第３実施形態で説明した情報表示システムのコンテンツ変換サーバ３０に搭載して実現することもでき、このコンテンツ変換サーバ３０にて前記同様に合成編集されたオリジナルコンテンツ画面Ｇ３は、ユーザ端末（携帯端末機器）１０′へ送信されて表示される。
【０１４６】
なお、前記各実施形態において記載した携帯端末機器１０あるいは情報表示システムによる各処理の手法、すなわち、図４のフローチャートに示す第１実施形態の携帯端末機器１０によるコンテンツ表示・ユーザ操作記録処理、図５のフローチャートに示す前記コンテンツ表示・ユーザ操作記録処理に伴う部品スタイル重み付け処理、図６のフローチャートに示す前記コンテンツ表示・ユーザ操作記録処理に伴う部品注目操作記録処理、図７のフローチャートに示す前記コンテンツ表示・ユーザ操作記録処理に伴うフォーム利用履歴記録処理、図１２のフローチャートに示す第２実施形態の情報表示システムのコンテンツ変換サーバ３０によるコンテンツ処理、図１３のフローチャートに示す前記情報表示システムのユーザ端末（携帯端末機器）１０′によるコンテンツ表示・ユーザ操作記録処理、図１４のフローチャートに示す前記コンテンツ変換サーバ３０によるユーザ操作情報記録処理、図１６のフローチャートに示す第３実施形態の情報表示システムのコンテンツ変換サーバ３０によるユーザ類似情報テーブル更新処理、図１７のフローチャートに示す第４実施形態の携帯端末機器１０あるいはコンテンツ変換サーバ３０によるオリジナルコンテンツ生成処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（１３）に格納して配布することができる。そして、携帯端末機器１０のコンピュータやサーバ３０のコンピュータは、この外部記憶媒体（１３）に記憶されたプログラムを記憶装置（１２）に読み込み、この読み込んだプログラムによって動作が制御されることにより、前記各実施形態において説明したＷｅｂコンテンツ利用履歴に基づくＷｅｂページの表示機能を実現し、前述した手法による同様の処理を実行することができる。
【０１４７】
また、前記各手法を実現するためのプログラムのデータは、プログラムコードの形態としてネットワークＮ上を伝送させることができ、このネットワークＮに接続された携帯端末機器１０のコンピュータやサーバ３０のコンピュータの通信部（１４）によって前記のプログラムデータを取り込み、前述したＷｅｂコンテンツ利用履歴に基づくＷｅｂページの表示機能を実現することもできる。
【０１４８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１４９】
【図１】本発明の情報表示装置の実施形態に係る携帯端末機器１０の電子回路の構成を示すブロック図。
【図２】前記携帯端末機器１０の記憶装置１２におけるコンテンツ利用履歴ＤＢ１２ｄにて記憶されるテーブルデータ（その１）を示す図であり、同図（Ａ）はブロック情報テーブル１２d1を示す図、同図（Ｂ）はキャッシュテーブル１２d2を示す図、同図（Ｃ）はリンク利用履歴テーブル１２d3を示す図。
【図３】前記携帯端末機器１０の記憶装置１２におけるコンテンツ利用履歴ＤＢ１２ｄにて記憶されるテーブルデータ（その２）を示す図であり、同図（Ｄ）はフォーム情報テーブル１２d4を示す図、同図（Ｅ）はフォーム部品情報テーブル１２d5を示す図、同図（Ｆ）は注目ブロックテーブル１２d6を示す図、同図（Ｇ）は注目テキストテーブル１２d7を示す図。
【図４】前記携帯端末機器１０のＷｅｂブラウザによるコンテンツ(Ｗｅｂページ)表示およびユーザ操作記録処理を示すフローチャート。
【図５】前記携帯端末機器１０のコンテンツ(Ｗｅｂページ)表示およびユーザ操作記録処理に伴う部品スタイル重み付け処理を示すフローチャート。
【図６】前記携帯端末機器１０のコンテンツ(Ｗｅｂページ)表示およびユーザ操作記録処理に伴う部品注目操作記録処理を示すフローチャート。
【図７】前記携帯端末機器１０のコンテンツ(Ｗｅｂページ)表示およびユーザ操作記録処理に伴うフォーム利用履歴記録処理を示すフローチャート。
【図８】前記携帯端末機器１０のＷｅｂブラウザによるコンテンツ(Ｗｅｂページ)表示およびユーザ操作記録処理に伴い表示部１７に表示された部品重み付け処理後のＷｅｂページ表示画面を示す図であり、同図（Ａ）は特定部品の拡大強調表示された社内業務ポータル画面Ｇ１を抜き出して示す図、同図（Ｂ）は特定部品の拡大強調表示されたＷｅｂメール画面Ｇ２を抜き出して示す図。
【図９】前記携帯端末機器１０のＷｅｂブラウザによるコンテンツ(Ｗｅｂページ)表示およびユーザ操作記録処理に伴い、表示部１７に表示されたリンク先のテキスト文字列ＲｎをポインタＰにより指定した場合の次ページ情報ウインドウＷの事前表示状態を示す図。
【図１０】前記第１実施形態の携帯端末機器１０によって社内業務ポータルサイトからユーザ所望の入力フォームを利用するまでの表示動作を従来の表示動作と対比して示す図。
【図１１】本発明の第２実施形態に係る情報表示システムの全体構成を示す図。
【図１２】前記第２実施形態の情報表示システムにおけるコンテンツ変換サーバ３０でのコンテンツ処理を示すフローチャート。
【図１３】前記第２実施形態の情報表示システムにおけるユーザ端末（携帯端末機器）１０′でのコンテンツ表示・ユーザ操作記録処理を示すフローチャート。
【図１４】前記第２実施形態の情報表示システムにおけるコンテンツ変換サーバ３０でのユーザ操作情報記録処理を示すフローチャート。
【図１５】本発明の第３実施形態に係る情報表示システムのコンテンツ変換サーバ３０に備えられるユーザ類似情報テーブル３２を示す図。
【図１６】前記第３実施形態に係る情報表示システムにおけるユーザ類似情報テーブル３２の更新処理を示すフローチャート。
【図１７】本発明の第４実施形態に係る携帯端末機器１０でのオリジナルコンテンツ生成処理を示すフローチャート。
【図１８】前記第４実施形態に係る携帯端末機器１０でのオリジナルコンテンツ生成処理に伴い生成されたオリジナルコンテンツ画面Ｇ３を示す図。
【符号の説明】
【０１５０】
１０、１０′…携帯端末機器
１１  …制御部
１２  …記憶装置
１２ａ…システムプログラム
１２ｂ…通信用プログラム
１２ｃ…ブラウザプログラム
１２ｄ、３１、３１′…コンテンツ利用履歴ＤＢ
１２d1…ブロック情報テーブル
１２d2…キャッシュテーブル
１２d3…リンク利用履歴テーブル
１２d4…フォーム情報テーブル
１２d5…フォーム部品情報テーブル
１２d6…注目ブロックテーブル
１２d7…注目テキストテーブル
１３  …メモリカード
１４  …通信部
１５  …ＲＡＭ
１５ａ…アクセス先ＵＲＬメモリ
１５ｂ…ＷｅｂページＨＴＭＬメモリ
１５ｃ…表示画像メモリ
１５ｄ…ポインタページ位置メモリ
１６  …キー入力部
１７  …表示部
２０ａ，２０ｂ，…コンテンツサーバ
３０  …コンテンツ変換サーバ
３２  …ユーザ類似情報テーブル
Ｎ  …通信ネットワーク
【図１】
2009009519.tif 000003
【図２】
2009009519.tif 000004
【図３】
2009009519.tif 000005
【図４】
2009009519.tif 000006
【図５】
2009009519.tif 000007
【図６】
2009009519.tif 000008
【図７】
2009009519.tif 000009
【図８】
2009009519.tif 000010
【図９】
2009009519.tif 000011
【図１０】
2009009519.tif 000012
【図１１】
2009009519.tif 000013
【図１２】
2009009519.tif 000014
【図１３】
2009009519.tif 000015
【図１４】
2009009519.tif 000016
【図１５】
2009009519.tif 000017
【図１６】
2009009519.tif 000018
【図１７】
2009009519.tif 000019
【図１８】
2009009519.tif 000020